(57)【要約】      （修正有）【課題】底背高化されたキーボード用キースイッチの好タッチ感とガタ解消を両立させる。【解決手段】第１第２レバーに支持されたキートップは、弾性部材の付勢力で（ａ）に示すような押圧操作前の初期状態になっている。第２レバー４，５は、キートップ７と共に上昇してパンタグラフ状になっている。弾性部材６の付勢力で初期状態の高さに位置しているキートップの操作面に操作物者が接触する。この時点では、キートップは、上述した構成によりがたつきが発生することがない。前記キートップ７を下方に押圧していくことで、パンタグラフ状をしていた第１、第２レバー４，５がそれぞれの交叉部位４ｇ、５ｂを支点として回転して、（ｂ）に示すように取付板２上のフィルムシート上に傾倒する。両方の上部当接部４ｈ、５ｇは、キートップ７の裏面７ｂから離れるが、あまりガタツキを感じる事はない。【選択図】図５
0003114728.tif 000002
【実用新案登録請求の範囲】
【請求項１】
互いの交差部位において回動自在に連結された第１、第２レバーと、
前記第１、第２レバーの各上側に昇降自在に支持されたキートップと、
前記キートップを上方に弾性付勢する弾性部材と、
前記キートップの昇降動作に伴いスイッチング動作されるスイッチ素子と、
前記第１、第２レバーの各下側を係合可能に支持する取付板と、
を備え、さらに、
前記第１レバーの上側に設けられた上部回動軸は、前記キートップの裏面に設けられた上部回動支持部により回動可能に軸支され、
前記第２レバーの上側に設けられた上部スライド軸は、前記キートップの裏面に設けられた上部スライド支持部によりスライドかつ回動可能に軸支され、
前記第１、第２レバーの少なくともいずれか一方の上側には、前記キートップが押圧されていない状態では前記キートップの裏面に当接可能な上部当接部が形成され、
前記上部当接部は、前記キートップが押圧され降下した状態で前記キートップの裏面に当接しない  ことを特徴とするキースイッチ。
【請求項２】
前記上部回動支持部は所定の間隔を有して一対形成され、前記第１レバーの上側には、前記一対の上部回動支持部に係合支持可能な横長状の第１桟部が形成され、前記上部当接部は前記第１桟部に突出形成されている  ことを特徴とする請求項１に記載のキースイッチ。
【請求項３】
前記上部スライド支持部は所定の間隔を有して一対形成され、前記第２レバーの上側には、前記一対の上部スライド支持部にスライド支持可能な横長状の第２桟部が形成され、前記上部当接部は前記第２桟部に突出形成されている  ことを特徴とする請求項１に記載のキースイッチ。
【請求項４】
前記上部当接部は前記第１、第２レバーの一方の上側に２ヶ所以上設けられている  ことを特徴とする請求項１に記載のキースイッチ。
【請求項５】
前記上部当接部は前記第１、第２レバーの両方の上側に設けられている  ことを特徴とする請求項１に記載のキースイッチ。
【請求項６】
前記第１レバーの下側に設けられた下部スライド軸は、前記取付板に設けられた下部スライド支持部によりスライドかつ回動可能に軸支され、
前記第２レバーの下側に設けられた下部回動軸は、前記取付板に設けられた下部回動支持部により回動可能に軸支され、
前記第１、第２レバーの下側には、前記キートップが押圧されていない状態では前記取付板に当接するが、前記キートップが押圧され降下した状態では前記取付板に当接しない位置に下部当接部が配設されている  ことを特徴とする請求項１にキースイッチ。
【請求項７】
前記上部当接部は、前記上部回動軸の前記上部回動支持部と当接している部分又は前記上部スライド軸の前記上部スライド支持部と当接している部分に形成されている  ことを特徴とする請求項１にキースイッチ。
【考案の詳細な説明】
【技術分野】
【０００１】
本考案は、パソコン等の入力に用いられるキースイッチに係わり、特にいわゆるノート型と称される薄型・小形のパソコン向けのキーボードに関する。
【背景技術】
【０００２】
近年のキーボード装置は、薄型化要求にともない、交差状にリンク結合させた一対のレバー部材の上端部でキートップを支持し、このキートップの昇降動作に伴って、一対のレバー部材のリンク交差する角度が変化するようにした、いわゆるパンタグラフ型ものが各種提案されている。
【０００３】
例えば、上端部をキートップの裏面に回動自在に係合させた一方のレバー部材と、上端部をキートップの裏面にスライドかつ回動自在に係合させた他方のレバー部材とを、互いの交差部でリンク結合させて一体化し、この一体化した一対のレバー部材によってキートップを昇降自在に支持した構成のキースイッチが開示されている。
この種のキーボード装置は、操作者がキートップを押圧すると、一対のレバー部材が傾倒して押し畳まれて、キートップが所定量降下した時点で、クリックゴム等の弾性部材がキートップに押圧されて変形し、シート状のメンブレンスイッチ等のスイッチ素子が弾性部材に押圧されてスイッチＯＮ状態となる。
このスイッチＯＮ状態でキートップに対する押圧操作力を解除すると、変形していた弾性部材が自身の弾性力で元の形状に復帰し、メンブレンスイッチがＯＦＦ状態になると共に、傾倒していた一対のレバー部材を起立させながらキートップが初期位置の高さまで押し上げられていく。
【０００４】
このように、一対のレバー部材によりキートップを昇降自在に支持する構成を採用することにより、キーステムを案内壁に沿って摺動させるという従来一般的なキーボード装置に比べて、良好な操作性を確保し、かつ高さ寸法を大幅に低減できて薄型化が可能になるという利点がある。（例えば、特許文献１参照）
【特許文献１】特開２００２−５６７４３号公報
【特許文献２】特開平１１−３０６９０１号公報
【特許文献３】特開２００２−３６７４７２号公報
【特許文献４】特開２００３−３１０６７号公報
【特許文献５】特開２００３−２７１２８８号公報
【考案の開示】
【考案が解決しようとする課題】
【０００５】
ところで、近年キーボードの薄型化と好タッチ感（低作動力、高クリック感など）に対する要求が強くなりつつある。それに伴い、キートップのガタツキやキー押し込み時の騒音が問題になってきた。特にユーザーがキーを押し込んでいない、例えばホームポジションのキートップ表面に指を置いている状態でのキーのガタツキは、ユーザーに低品質な印象を与える。
【０００６】
そこで、この課題に対する対策もいくつか知られている。（例えば、特許文献２〜５参照、一部パンタグラフ型でないものを含む）
上記特許文献５でも述べられている様に、各可動部分の寸法精度を単純にアップして、摺動や回動部分の隙間を減らす、というやり方は、生産性や歩留まりの低下を招き、ひいてはコストアップになりかねない。それに対し、前記文献では、スリットや球面状輪郭を有する支軸により軸線方向（取付面と平行）に弾性を持たせ、軸方向に対して常時可動部と固定部との間を与圧することで、ガタをなくそうとしている。
【０００７】
ところが、このやり方ではもう一つの要求である好タッチ感と相反する。すなわち、可動部と固定部との間には常時圧力が掛かっているため、その摩擦により、どうしても可動部を動かすのに必要な作動力がアップしてしまう。特に、低作動力が要求されている場合などでは、復帰不良を起こす恐れもある。又、摩擦は可動部の動きに対して常に逆向きに作用するためヒステリシスが発生し、クリック感に悪影響を与える。
【０００８】
そこで、本考案はキーの薄型化に伴う、ガタ減少に対する要求と好タッチ感に対する要求とを同時に満足させる構成を提供することを目的とする。
【課題を解決するための手段】
【０００９】
上記課題を解決するための解決手段として、本考案のキースイッチは、互いの交差部位において回動自在に連結された第１、第２レバーと、前記第１、第２レバーの各上側に昇降自在に支持されたキートップと、前記キートップを上方に弾性付勢する弾性部材と、前記キートップの昇降動作に伴いスイッチング動作可能なスイッチ素子と、前記第１、第２レバーの各下側を係合可能に支持する取付板と、を備え、さらに、前記第１レバーの上側に設けられた上部回動軸は、前記キートップの裏面に設けられた上部回動支持部により回動可能に軸支され、前記第２レバーの上側に設けられた上部スライド軸は、前記キートップの裏面に設けられた上部スライド支持部によりスライドかつ回動可能に軸支され、前記第１、第２レバーの少なくともいずれか一方の上側には、前記キートップが押圧されていない状態では前記キートップの裏面に当接可能な上部当接部が形成され、前記上部当接部は、前記キートップが押圧され降下した状態で前記キートップの裏面に当接しないことを特徴とするものである。
【００１０】
この構成により、キートップが非押圧時には、両レバーとキートップ裏面が上記当接部を介して接触し、上部回動軸が上部回動支持部に対して小さい圧力が掛かった状態になり、上下方向のガタツキを大幅に減らすことが出来る。特に、いわゆるホームポジションキーの様に、押し込まないが操作者の指と接触はしている、という場合において、操作者にキーボードに対する高い品質感を与える。
その一方、キートップが押し込まれた状態では、キートップ裏面と当接部は接触しないため、上部回動軸と上部回動支持部の間に追加の圧力は発生せず、上部回動支持部での摩擦が増加する事はない。又、押し込んだ状態では、特に薄型の場合、キーは通常一番下まで押し切れられているため、上下方向のガタはほとんど問題にならない。そのため、キータッチの感触は悪化せず、又、復帰不良になったりすることもない。
【００１１】
又、前記上部回動支持部を所定の間隔を有して一対形成し、前記第１レバーの上側には、前記一対の上部回動支持部に係合支持可能な横長状の第１桟部を形成し、前記上部当接部を前記第１桟部に突出形成されていてもよい。こうすると、構造が簡単に出来る。
【００１２】
又、前記上部スライド支持部を所定の間隔を有して一対形成し、前記第２レバーの上側には、前記一対の上部スライド支持部にスライド支持可能な横長状の第２桟部を形成し、前記上部当接部を前記第２桟部に突出形成されていてもよい。こうすると、構造が簡単に出来る。
【００１３】
又、上部当接部は前記第１、第２レバーの一方の上側に２ヶ所以上設けてもよい。こうすると、ガタ抑制に対して一層効果的である。
【００１４】
又、上部当接部は前記第１、第２レバーの両方の上側に設けてもよい。これも、ガタ抑制に対して一層効果的である。
【００１５】
又、前記第１レバーの下側に設けられた下部スライド軸を、前記取付板に設けられた下部スライド支持部によりスライドかつ回動可能に軸支し、前記第２レバーの下側に設けられた下部回動軸を、前記取付板に設けられた下部回動支持部により回動可能に軸支し、前記第１、第２レバーの下側には、前記キートップが押圧されていない状態では前記取付板に当接するが、前記キートップが押圧され降下した状態では前記取付板に当接しない位置に下部当接部を配設してもよい。こうすると、下側の回動部分のガタを減少させられるため、ガタ抑制に対して一層効果的である。
【００１６】
又、上部当接部は、上部回動軸の少なくとも一部を楕円状にすることにより形成してもよい。こうすると、別途当接部を設ける必要が無く、設計が容易に出来る。
【００１７】
又、上部回動軸の楕円状部分を、上部軸支部と当接しているところに形成し、上部軸支部の上部回動軸との接触部分を非円形に形成してもよい。こうすると、角度により上部回動軸と上部軸支部の接触状態を変えることができるため、同様の効果が期待できる。
【考案の効果】
【００１８】
本願の構成を取ることにより、キートップが非押圧時には、キートップのガタツキを大幅に減らすことが出来る。その一方、キートップを押し込んだ時には、キータッチの感触が悪化することはない。
【考案を実施するための最良の形態】
【００１９】
以下、図面を参照して本発明の一実施形態について説明する。
図１は分解斜視図であり、図２はキートップを外した上面図であり、図３はキースイッチの取付板を外した底面図で、図４はキートップの裏面、図５はキースイッチの押圧時及び非押圧時における断面図で、図６は非押圧時における当接部の拡大断面図であり、図７は押圧時における当接部の拡大断面図である。
【００２０】
まず、本考案のキーボードスイッチ１は、図１に示すように、最下部に、所定厚さのアルミ等の金属板からなる取付板２が配設され、この取付板２には、図示手前側に矩形状の第１抜き孔２ａが形成され、この第１抜き孔２ａの奥部に、寸法Ａの隙間を有して一対の下部スライド支持部２ｂ、２ｂが所定高さで切り曲げ形成されている。
前記下部スライド支持部２ｂは、図示手前側の一方側が開放されて、この開放部分に後述する第１レバー４の下部スライド軸４ｂをスライド係合可能になっている。
【００２１】
また、取付板２の図示奥側には、所定の間隔を有して対称形状の一対の第２抜き孔２ｃ、２ｃが形成され、この第２抜き孔２ｃには、一方の側部の一部を切り起こしして、略Ｌ字状の開放部を有する下部回動支持部２ｄ、２ｄがそれぞれ形成されている。
また、第２抜き孔２ｃには、下部回動支持部２ｄと対向する他方の側部の一部が切り起こしされて、抜け止め部２ｅがそれぞれ形成されている。
前記下部回動支持部２ｄは、略Ｌ字状の開放部に、後述する第２レバー５の第２支持ピン５ｂを係合支持すると、抜け止め部２ｅで抜け止めされるようになっている。
【００２２】
前記取付板２上には、フィルムシート３が載置され、このフィルムシート３は、取付板２の下部スライド支持部２ｂが層通可能な第１抜き孔３ａと、下部回動支持部２ｄおよび抜け止め部２ｅが層通可能な一対の第２抜き孔３ｂとが形成されている。
前記第１、第２抜き孔３ａ、３ｂ間のフィルムシート３の上面には、固定接点からなるスイッチ部（図示せず）が形成され、このスイッチ部上に、内部がドーム状の空洞部（図示せず）を有する後述する弾性部材６が配設されている。
また、フィルムシート３上には、パンタグラフ状に組み合わされた第１レバー４、第２レバー５が配設されている。
【００２３】
前記第１レバー４は、外形が略矩形状の支持基部４ａが形成され、この支持基部４ａの図示手前の下側に、取付板２の下部スライド支持部２ｂに係合支持可能な下部スライド軸４ｂが、図示左右方向の横長状に形成されている。
前記下部スライド軸４ｂは、横長方向の両端部と中央部が連結部４ｃに連結され、中央部の連結部４ｃの幅寸法は、取付板２に形成した一対のスライド支持部２ｂ、２ｂ間の隙間寸法Ａより同等以下に形成されている。
【００２４】
また、第１レバー４は、支持基部４ａの図示奥の他端部側に横長状の第１桟部４ｄが形成され、この第１桟部４ｄの横長方向の左右両端部から一対の上部回動軸４ｅが突出形成され、この上部回動軸４ｅが後述するキートップ７の上部回動支持部８に回動自在に係合支持可能になっている。
また、支持基部４ａの図示左右の側壁４ｆ、４ｆの略中央部付近には、後述する第２レバー５の嵌合溝からなる交叉部位５ｂに嵌合可能な連結ピンからなる交叉部位４ｇ、４ｇが外向きに突出形成されている。
【００２５】
また、支持基部４ａは、中央部に中央孔４ｉが貫通形成されて、後述する弾性部材６が挿通可能になっている。
また、第１レバー４には、軸部４ｂ、４ｂを形成した部分の図示奥側に、取付板２に形成した２つの下部スライド支持部２ｂ、２ｂが挿通可能な挿通孔４ｊ、４ｊが形成されている。そして、切り曲げ形成されて開放された下部スライド支持部２ｂに、挿通孔４ｊを挿入して挿通すると、軸部４ｂが下部スライド支持部２ｂにスライド自在に支持されるようになっている。
【００２６】
また、第１レバー４の外側には、第１レバー４を囲むような形状に形成された第２レバー５が配設されている。
前記第２レバー５は、第１レバー４の側壁４ｆと対向する外側に一対の腕部５ａ、５ａが形成され、この腕部５ａの長手方向における略中央部に、第１レバー４の交叉部位４ｇが嵌合支持可能な嵌合溝からなる交叉部位５ｂ、５ｂが形成されている。
【００２７】
また、一対の腕部５ａは、図示奥の一端部側に形成した横長状の連結軸５ｃに連結され、この連結軸５ｃから図示左右の外側に向けて下部回動軸５ｄが突出形成されている。そして、下部回動軸５ｄを取付板２の下部回動支持部２ｄに係合させると、下部回動軸５ｄが抜け止め部２ｅで抜け止めされる。
このことで、第２レバー５は、下部回動軸５ｄを支点として回動自在になっている。
【００２８】
また、一対の腕部５ａは、図示手前の他端部側に形成した第２桟部５ｅに連結されて、第２レバー５の外形が矩形状に形成されている。
また、第２桟部５ｅから図示左右の外側に向けて上部スライド軸５ｆが突出形成され、この上部スライド軸５ｆが後述するキートップ７の上部スライド支持部１０にスライド支持可能になっている。
そして、第１、第２レバー４、５は、互いの交叉部位４ｇ、５ｂを回動自在に組み合わせて、それぞれの下側の下部スライド軸４ｃ、下部回動軸５ｄを取付板２に支持することにより、パンタグラフ状になっている。
【００２９】
また、フィルムシート３の第１、第２抜き孔３ａ、３ｂ間に形成されたスイッチ部（図示せず）上には、ゴム等からなる弾性部材６が配設され、この弾性部材６の台座部６ａがフィルムシート３に接着剤等で固着されている。
前記弾性部材６は、内部にドーム状の空洞部（図示せず）を有し、頂部６ｂがリング状に形成され、この頂部６ｂが後述するキートップ７によって押圧されると弾性変形して、内部の空洞部の天井部に形成したスイッチ操作部（図示せず）がフィルムシート３に形成したスイッチ部を押圧して、スイッチ回路が切り換わるようになっている。
【００３０】
前記弾性部材６上には、樹脂材料等からなるキートップ７が配設され、このキートップ７は、矩形状の操作面７ａと対向する裏面７ｂに、図４に示すように、放射状の嵌合部７ｃが形成され、この嵌合部７ｃが弾性部材６の頂部６ｂに圧入等で取り付けられている。
また、嵌合部７ｃの図示手前側の裏面７ｂには、第１レバー４の第１桟部４ｂの横長方向の両端部に形成した上部回動軸４ｅ、４ｅを回動自在に支持可能な上部回動支持部８、８が形成されている。
この上部回動支持部８は、所定の隙間を有して互いに対向する支持壁８ａ、８ａを有し、この支持壁８ａ、８ａ間に第１レバー４の上部回動軸４ｅをスナップ支持可能な支持部８ｂが形成されている。
【００３１】
また、第１レバー４の第１桟部４ｄには、第１の上部当接部４ｈが設けられている。図６に示す様に、キートップ７が押されていない状態では、キートップ７の裏面７ｂに当接又は押圧している。図６では、キートップ裏面７ｂと第１の上部当接部４ｈが干渉しているかの様に見えるが、実際には第１の上部当接部４ｈにより第１桟部４ｄ及び上部回動軸４ｅが下向きに押されて若干撓み、同時にキートップ７自体も幾分変形した状態になる。
このため、上部回動軸４ｅ、上部回動支持部８に成形加工時の部品寸法のバラツキ等により、両者の間で上下方向のガタ付きが有ったとしても、キートップ７が押されていない時はこのガタ付きを抑止できる。
【００３２】
そして、キートップ７が押されるにつれて、第１レバー４が回動し、それに伴い上部当接部４ｈは上部回動軸４ｅの軸心回りに回動する。そしてキートップ７の裏面７ｂから離れていき、押し切った状態では図７の様になる。
キートップ７を押し込んでいくと、上部当接部４ｈはキートップ７の裏面７ｂから離れるものの、操作者が極めて正確かつ垂直にキー中央を真上から押し込まない限り、各可動部や支持部は、キートップを水平に保つため互いに力やモーメントが掛かり、接触した状態になっているはずである。さらに、キートップ７は弾性部材６からの反力を受けて操作者の指には力が掛かるため、操作者はガタツキを感じにくい。又、上部回動軸４ｅと上部回動支持部８の間で、上下動の動作中に摩擦力が掛かりっぱなしにはならず、復帰不良が発生しにくい。
【００３３】
次に、キートップ７の裏面７ｂには、第２レバー５の第２桟部５ｅの横長方向の両端部に形成された上部スライド軸５ｆ、５ｆをスライド自在に支持可能な一対の上部スライド支持部１０、１０が形成されている。
前記上部スライド支持部１０は、裏面７ｂから所定高さで突出する支持壁１０ａを有し、この支持壁１０ａには、図４に示すように、断面形状が略Ｌ字状の支持部１０ｂが内向きに形成されている。
【００３４】
上部スライド支持部１０に係合する第２レバー５の第２桟部５ｅには、第２の上部当接部５ｇが設けられている。これも、上述した第１の上部当接部４ｈと同様の機能を持ち、同様の動作を行う。特に、両方の上部当接部４ｈ、５ｇに設けておくと、キートップ７が押されていない状態では、キートップ７と両レバー４、５間のガタは大幅に小さくなる。
【００３５】
さらに、下部回動支持部２ｄに係合する第２レバー５の連結軸５ｃには、下部当接部５ｈが設けられている。これも、上述した第１の上部当接部４ｈと同様の機能を持ち、同様の動作を行う。この様に各部に当接部を設けることで、全体としてガタや操作音は大幅に小さくなる。
【００３６】
上部当接部の当接量については、キートップ７が押されていない時、上部回動支持部８および上部スライド支持部１０に支持した第１および第２桟部４ｄ、５ｅのガタ寸法より大きく設定されている。そのために、キートップ７の裏面７ｂを押圧するため、ガタは発生しない。なお、押圧しているため、形状によっては上部当接部がややツブされるか、あるいは第１あるいは第２桟部４ｄ、５ｅが若干撓むことになる。又、下部当接量についても同様である。
【００３７】
次に、このような構成の本発明のキーボードスイッチ１の操作方法について説明する。初めに、第１、第２レバー４、５に支持されたキートップ７は、弾性部材６の付勢力で、図に示すような所定高さまで上昇して、押圧操作前の初期状態になっている。この時の第１、第２レバー４、５は、キートップ７と共に上昇してパンタグラフ状になっている。
ここで、弾性部材６の付勢力で初期状態の高さに位置しているキートップ７の操作面７ａに操作者が接触する。この時点では、キートップ７は、上述した構成によりガタ付きが発生することがなく、キートップ７を押圧する操作者に、ガタツキや操作音等の高品質感を与える。
【００３８】
次に、前記キートップ７を下方に押圧していくことで、パンタグラフ状をしていた第１、第２レバー４、５が、それぞれの交叉部位４ｇ、５ｂを支点として回動して、取付板２上のフィルムシート３上に傾倒する。
同時に降下するキートップ７に押圧されて弾性部材６が弾性変形し、空洞部内に形成した可動接点（図示せず）がフィルムシート３に形成した固定接点からなるスイッチ部に当接してスイッチ回路が切り換わる。
この状態になると、両方の上部当接部４ｈ、５ｇはキートップ７の裏面７ｂから離れるが、前述した理由により操作者は。あまりガタツキを感じることはない。
【００３９】
また、キートップ７に加えていた押圧荷重を解除すると、弾性部材６の付勢力によってキートップ７が初期状態まで上昇し、第１、第２レバー４、５がパンタグラフ状に自動復帰する。復帰中は、当接部が突出して形成されているため、キートップ７が上がりきる直前まで上部当接部はキートップ７の裏面７ｂに当たらないか、あるいは当たってもキートップ７に圧力をほとんど掛けない。そのため、復帰不良にはなりにくい。
この様に、本発明のキーボードスイッチ１は、上部当接部により、第１、第２レバー４、５とキートップ７との間のガタ付き防止とタッチ感を両立させることができ、良好な操作フィーリングを得ることができる。
【００４０】
なお、本発明の実施の形態の説明では、上部当接部４ｈ、５ｇを第１、第２桟部４ｄ、５ｅの中央付近に設け、当接、または押圧するように説明したが、第１、第２桟部４ｄ、５ｅを内側に寄せ、逆に上部当接部４ｈ、５ｇを両桟部より外側に配置しても良い。
又、上部当接部を片側に２ヶ所に設けているが、ガタ抑止効果はやや落ちるものの１ヶ所でもよい。又、上部当接部を両側に設けているが、片側だけでもよい。又、下部当接部は無くてもよい。
【００４１】
次に、変形例について、説明する。この例は、上部当接部を、上部回動軸と上部回動支持部の接触部分又は上部スライド軸と上部スライド支持部の接触部分に設けたものであるが、断面で見ると図６あるいは７とほぼ同じになってしまう。それ以外の構成、動作については、前述の実施形態と同様であるため省略する。ただし、この場合、上部当接部と上部回動支持部あるいは上部スライド支持部との接触による圧力のバラツキは、両者の寸法だけに依存し、第１、第２桟部やキートップ７の撓みによる寸法バラツキの吸収は期待できない。そのため、寸法は前述の実施形態よりも高精度が要求される。
【図面の簡単な説明】
【００４２】
【図１】本考案によるキースイッチの分解斜視図である。
【図２】本考案によるキースイッチのキートップを外した上面図である。
【図３】本考案によるキースイッチの取付板を外した底面図である。
【図４】本考案によるキースイッチで、キートップ裏面である。
【図５】本考案によるキースイッチで、押圧時及び非押圧時における、一部分を省略した断面図である。
【図６】本考案によるキースイッチで、非押圧時における一部分を省略した当接部の拡大断面図である。
【図７】本考案によるキースイッチで、押圧時における一部分を省略した当接部の拡大断面図である。
【符号の説明】
【００４３】
１：    キースイッチ
２：    取付板
２ｂ：  下部スライド支持部
２ｄ：  下部回動支持部
３：    フィルムシート
３ａ：  第１抜き孔
３ｂ：  第２抜き孔
４：    第１レバー
４ａ：  支持基部
４ｂ：  下部スライド軸
４ｃ：  連結部
４ｄ：  第１桟部
４ｅ：  上部回動軸
４ｆ：  側壁
４ｇ：  交叉部位
４ｈ：  第１の上部当接部
４ｉ：  中央孔
４ｊ：  挿通孔
５：    第２レバー
５ａ：  腕部
５ｂ：  交叉部位
５ｃ：  連結軸
５ｄ：  下部回動軸
５ｅ：  第２桟部
５ｆ：  上部スライド軸
５ｇ：  第２の上部当接部
５ｈ：  下部当接部
６：    弾性部材
７：    キートップ
７ｂ：  裏面
７ｃ：  嵌合部
８：    上部回動支持部
８ａ：  支持壁
８ｂ：  支持部
１０：  上部スライド支持部
１０ａ：支持壁
１０ｂ：支持部
【図１】
0003114728.tif 000003
【図２】
0003114728.tif 000004
【図３】
0003114728.tif 000005
【図４】
0003114728.tif 000006
【図５】
0003114728.tif 000007
【図６】
0003114728.tif 000008
【図７】
0003114728.tif 000009